(57)【要約】【課題】本発明は、第１部品における裏側のスペースが小さい場合でもカンヌキクリップを使用できるようにすることを目的とする。【解決手段】本発明のカンヌキクリップ４０は、リヤバンパカバー２０の裏側平坦面２０ｆに沿ってリヤスポイラー３０の板状突起３５の係合穴３５ｋに押し込まれる係合爪４１と、係合爪４１を板状突起３５の係合穴３５ｋに押し込む際に押圧される取っ手部４５と、取っ手部４５と係合爪４１との間に設けられた中間部４３とを有しており、中間部４３は、係合爪４１がリヤバンパカバー２０の裏側平坦面２０ｆに沿っている状態で、取っ手部４５が裏側平坦面２０ｆから離れる方向に湾曲している。【選択図】図７
2017089815.tif 000002
【特許請求の範囲】
【請求項１】
第１部品の壁部の開口部に対して表側から第２部品の板状突起が挿通された状態で、前記第２部品の板状突起の係合穴と前記第１部品の裏側で係合し、前記第２部品の板状突起の抜け止めを図るカンヌキクリップであって、
前記第１部品の裏側平坦面に沿って前記第２部品の板状突起の係合穴に押し込まれる係合爪と、
前記係合爪を前記板状突起の係合穴に押し込む際に押圧される取っ手部と、
前記取っ手部と係合爪との間に設けられた中間部とを有しており、
前記中間部は、前記係合爪が前記第１部品の裏側平坦面に沿っている状態で、前記取っ手部が前記裏側平坦面から離れる方向に湾曲しているカンヌキクリップ。
【請求項２】
請求項１に記載されたカンヌキクリップであって、
前記第１部品には、前記裏側平坦面に対して傾斜している裏側傾斜面が設けられており、
前記取っ手部、あるいは前記中間部には、前記係合爪が前記板状突起の係合穴に押し込まれる際に、前記第１部品の裏側傾斜面に沿って摺動する力変換部が設けられており、
前記力変換部は、前記取っ手部が第１部品の裏側平坦面に接近する方向に押圧されることで裏側傾斜面に沿って摺動し、前記取っ手部に加えられた押圧力を前記係合穴に対する前記係合爪の押し込み方向の力に変換するカンヌキクリップ。
【請求項３】
請求項２に記載されたカンヌキクリップであって、
前記力変換部は、断面形状が略円弧形をした板状弾性体により構成されているカンヌキクリップ。
【請求項４】
請求項２又は請求項３のいずれかに記載されたカンヌキクリップであって、
前記中間部は、前記係合爪が前記第１部品の裏側平坦面に沿っている状態で、前記第１部品の裏側傾斜面とほぼ平行になる傾斜壁部を備えており、
前記取っ手部は、前記中間部の傾斜壁部に対して直角な状態で前記第１部品の裏側傾斜面から離れる方向に突出するように形成されており、
前記力変換部は、前記取っ手部と前記中間部との境界位置で、前記前記取っ手部の突出方向の反対側に形成されているカンヌキクリップ。
【発明の詳細な説明】
【技術分野】
【０００１】
本発明は、第１部品の壁部の開口部に対して表側から第２部品の板状突起が挿通された状態で、前記第２部品の板状突起の係合穴と第１部品の裏側で係合し、前記第２部品の板状突起の抜け止めを図るカンヌキクリップに関する。
【背景技術】
【０００２】
上記したカンヌキクリップに関する技術が特許文献１に記載されている。特許文献１に記載のカンヌキクリップ１００は、図８の平面図に示すように、リヤバンパカバー１２０（第１部品）のフック用開口部（図示省略）の周縁に取付けられるカバー取付け部材１２３（第２部品）をリヤバンパカバー１２０に取付けるためのクリップである。なお、カバー取付け部材１２３には、リヤバンパカバー１２０のフック用開口部を塞ぐフックカバー１２５が連結される。リヤバンパカバー１２０には、カバー取付け部材１２３の板状突起１２３ｔが挿通される開口部１２０ｈが形成されている。また、カバー取付け部材１２３の板状突起１２３ｔには、カンヌキクリップ１００の係合爪１０１が係合する係合穴１２３ｋが形成されている。
【０００３】
カンヌキクリップ１００は、前記係合爪１０１と、指が掛かるように構成された取っ手部１０５と、前記取っ手部１０５と係合爪１０１との間に設けられた中間部１０３とから構成されている。そして、カンヌキクリップ１００の係合爪１０１と中間部１０３とがほぼ直線状に配置されており、前記中間部１０３の端位置に取っ手部１０５が直角に設けられている。このカンヌキクリップ１００を使用する際、先ず、リヤバンパカバー１２０の開口部１２０ｈにカバー取付け部材１２３の板状突起１２３ｔを挿通させ、この状態に保持する。次に、カンヌキクリップ１００をリヤバンパカバー１２０の裏側平坦面１２０ｆに沿って移動させ、カンヌキクリップ１００の係合爪１０１をカバー取付け部材１２３の板状突起１２３ｔの係合穴１２３ｋに押し込むようにする。これにより、カンヌキクリップ１００の係合爪１０１とカバー取付け部材１２３の板状突起１２３ｔの係合穴１２３ｋとが係合し、リヤバンパカバー１２０の開口部１２０ｈに対するカバー取付け部材１２３の板状突起１２３ｔの抜け止めが図られる。この状態で、カバー取付け部材１２３をリヤバンパカバー１２０に固定できる。
【先行技術文献】
【特許文献】
【０００４】
【特許文献１】特許第５０６１７８０号公報
【発明の概要】
【発明が解決しようとする課題】
【０００５】
上記したカンヌキクリップ１００は、リヤバンパカバー１２０の裏側平坦面１２０ｆに沿って移動させながら係合爪１０１をカバー取付け部材１２３の板状突起１２３ｔの係合穴１２３ｋに押し込む構成である。このため、リヤバンパカバー１２０の内側には、カンヌキクリップ１００を裏側平坦面１２０ｆに沿って移動させるためのスペースが必要とされる。また、カンヌキクリップ１００の係合爪１０１と中間部１０３とがほぼ直線状に配置されており、前記中間部１０３の端位置に取っ手部１０５が設けられているため、裏側平坦面１２０ｆに沿う方向（移動方向）におけるカンヌキクリップ１００の長さ寸法が比較的大きくなる。このため、リヤバンパカバー１２０の裏側が狭い場合には前記カンヌキクリップ１００を使用できない場合がある。
【０００６】
本発明は、上記問題点を解決するためになされたものであり、本発明が解決しようとする課題は、リヤバンパカバー等の第１部品における裏側のスペースが小さい場合でもカンヌキクリップを使用できるようにすることである。
【課題を解決するための手段】
【０００７】
上記した課題は、各請求項の発明によって解決される。請求項１の発明は、第１部品の壁部の開口部に対して表側から第２部品の板状突起が挿通された状態で、前記第２部品の板状突起の係合穴と前記第１部品の裏側で係合し、前記第２部品の板状突起の抜け止めを図るカンヌキクリップであって、前記第１部品の裏側平坦面に沿って前記第２部品の板状突起の係合穴に押し込まれる係合爪と、前記係合爪を前記板状突起の係合穴に押し込む際に押圧される取っ手部と、前記取っ手部と係合爪との間に設けられた中間部とを有しており、前記中間部は、前記係合爪が前記第１部品の裏側平坦面に沿っている状態で、前記取っ手部が前記裏側平坦面から離れる方向に湾曲している。
【０００８】
本発明によると、カンヌキクリップの取っ手部と係合爪との間に設けられた中間部は、係合爪が第１部品の裏側平坦面に沿っている状態で、取っ手部が裏側平坦面から離れる方向に湾曲している。このため、中間部が湾曲せずに取っ手部と係合爪とが共に第１部品の裏側平坦面に沿って配置される従来の構成と比較して、前記裏側平坦面に沿う方向におけるカンヌキクリップの長さ寸法を小さくできる。したがって、カンヌキクリップを第１部品の裏側平坦面に沿って移動させるのに必要なスペースが小さくなる。これにより、第１部品の裏側のスペースが小さい場合でもカンヌキクリップを使用できるようになる。
【０００９】
請求項２の発明によると、第１部品には、裏側平坦面に対して傾斜している裏側傾斜面が設けられており、取っ手部、あるいは中間部には、係合爪が板状突起の係合穴に押し込まれる際に、前記第１部品の裏側傾斜面に沿って摺動する力変換部が設けられており、前記力変換部は、前記取っ手部が前記第１部品の裏側平坦面に接近する方向に押圧されることで裏側傾斜面に沿って摺動し、前記取っ手部に加えられた押圧力を前記係合穴に対する前記係合爪の押し込み方向の力に変換する。このため、取っ手部に対して係合爪の押し込み方向、即ち、第１部品の裏側平坦面に沿う方向に力を加えるのが難しい場合でも、取っ手部を裏側平坦面に接近する方向に押圧することで、係合爪を板状突起の係合穴に押し込めるようになる。これにより、カンヌキクリップがさらに使い易くなる。
【００１０】
請求項３の発明によると、力変換部は、断面形状が略円弧形をした板状弾性体により構成されている。このため、力変換部の構成が簡単になる。
【００１１】
請求項４の発明によると、中間部は、係合爪が第１部品の裏側平坦面に沿っている状態で、前記第１部品の裏側傾斜面とほぼ平行になる傾斜壁部を備えており、取っ手部は、前記中間部の傾斜壁部に対して直角な状態で前記第１部品の裏側傾斜面から離れる方向に突出するように形成されており、力変換部は、前記取っ手部と前記中間部との境界位置で、前記前記取っ手部の突出方向の反対側に形成されている。
【発明の効果】
【００１２】
本発明によると、第１部品の裏側のスペースが小さい場合でもカンヌキクリップを使用できるようになる。
【図面の簡単な説明】
【００１３】
【図１】本発明の実施形態１に係るカンヌキクリップにより連結されるリヤバンパカバー（第１部品）とリヤスポイラー（第２部品）とを表わす車両の後方模式斜視図である。
【図２】リヤバンパカバーの右部と右側のリヤスポイラーとを車両左前方から見た斜視図である。
【図３】本実施形態に係るカンヌキクリップを使用したリヤスポイラーの取付け構造を表わす斜視図である。
【図４】本実施形態に係るカンヌキクリップの模式斜視図である。
【図５】前記カンヌキクリップの縦断面図（図４のV-V矢視図）である。
【図６】前記カンヌキクリップを使用したリヤバンパカバーに対するリヤスポイラーの取付け過程を表わす縦断面図である。
【図７】前記カンヌキクリップを使用したリヤバンパカバーに対するリヤスポイラーの取付け状態を表わす縦断面図である。
【図８】従来のカンヌキクリップを使用したリヤバンパカバーに対するカバー取付け部材の取付け状態を表わす平断面図である。
【発明を実施するための形態】
【００１４】
［実施形態１］
以下、図１から図７に基づいて本発明の実施形態１に係るカンヌキクリップについて説明する。本実施形態に係るカンヌキクリップは、ワンボックス車両のリヤバンパカバーに対してリヤスポイラーの上端縁を取付ける際に使用されるクリップである。即ち、リヤバンパカバーが発明の第１部品に相当し、リヤスポイラーが本発明の第２部品に相当する。ここで、図中における前後左右、及び上下はワンボックス車両（以下、車両という）の前後左右、及び上下に対応している。
【００１５】
＜リヤバンパカバー２０の構造概要について＞
リヤバンパカバー２０は、図１に示すように、車両ボディ１２のドア開口部１２ｈの下側を車両後方から覆う後面カバー部２２と、車両ボディ１２のサイドパネル１２ｋを車幅方向外側から覆う左右の側面カバー部２４と、後面カバー部２２と側面カバー部２４間に設けられた左右の湾曲部２５とから構成されている。リヤバンパカバー２０の後面カバー部２２の上端には、上端平板部２２ｕが形成されており、その上端平板部２２ｕが左右の湾曲部２５の後側傾斜上板部２５ｂと連続している。そして、湾曲部２５の後側傾斜上板部２５ｂが後面カバー部２２の上端平板部２２ｕから車幅方向外側に離れるにつれて高くなるように傾斜している。即ち、後面カバー部２２の上端平板部２２ｕと左右の湾曲部２５の後側傾斜上板部２５ｂとは、車両ボディ１２のドア開口部１２ｈを開閉するバックドア１３の形状に合わせて形成されている。
【００１６】
＜リヤスポイラー３０について＞
リヤバンパカバー２０の表面下部には、図１に示すように、装飾部品である左右のリヤスポイラー３０が取付けられている。左右のリヤスポイラー３０は左右対称であり、リヤバンパカバー２０の後面カバー部２２の端部から湾曲部２５、及び側面カバー部２４の前端部までを覆えるように形成されている。リヤスポイラー３０は、図２、図３に示すように、そのリヤスポイラー３０の上端縁３２が二種類のカンヌキクリップ４０，５０によってリヤバンパカバー２０に取付けられるように構成されている。即ち、リヤスポイラー３０の上端縁３２には、水平な状態でリヤバンパカバー２０側（内側）に突出する複数の台形状の板状突起３５が長手方向に所定間隔をおいて形成されている。そして、各々の台形状の板状突起３５には、図２、図３に示すように、カンヌキクリップ４０，５０の係合爪４１，５１がそれぞれ上方から係合可能な係合穴３５ｋが形成されている。
【００１７】
＜リヤバンパカバー２０の内側構造等について＞
リヤバンパカバー２０には、図２、図３に示すように、リヤスポイラー３０の各々の板状突起３５に対応する位置に、各々の板状突起３５が挿通されるスリット状の開口部２０ｈが水平方向に延びるように形成されている。リヤバンパカバー２０の裏側には、図２に示すように、開口部２０ｈの周囲にカンヌキクリップ４０，５０を上下方向にガイドできる裏側平坦面２０ｆが設けられている。ここで、リヤバンパカバー２０の開口部２０ｈから上端縁までの距離は、図２、図３に示すように、後面カバー部２２で小さく、湾曲部２５と側面カバー部２４とで比較的大きく設定されている。即ち、リヤバンパカバー２０の後面カバー部２２では、図３に示すように、カンヌキクリップ４０，５０のガイド距離を大きく取ることはできない。これに対し、リヤバンパカバー２０の湾曲部２５と側面カバー部２４とでは、図２に示すように、カンヌキクリップ４０，５０のガイド距離を大きく取れるようになる。
【００１８】
リヤバンパカバー２０の後面カバー部２２の上端位置には、前述のように、上端平板部２２ｕが形成されている。後面カバー部２２の上端平板部２２ｕは、図６、図７に示すように、前側が高くなるように傾斜しており、その内側が同じく傾斜した天井面２２ｓとなっている。即ち、リヤバンパカバー２０の後面カバー部２２の裏側には、図３、及び図６、図７に示すように、裏側平坦面２０ｆの上側に、その裏側平坦面２０ｆに対して前側が高くなるように傾斜した天井面２２ｓが設けられている。
【００１９】
＜第１カンヌキクリップ４０について＞
第１カンヌキクリップ４０は、図３等に示すように、ガイド距離を大きく取れないリヤバンパカバー２０の後面カバー部２２の内側で使用されるクリップである。第１カンヌキクリップ４０は、図４、図５等に示すように、係合爪４１と、指が掛けられる取っ手部４５と、その取っ手部４５と係合爪４１との間に設けられた中間部４３とを備えている。第１カンヌキクリップ４０の係合爪４１は、リヤスポイラー３０の板状突起３５の係合穴３５ｋに下向きに押し込まれることで、その係合穴３５ｋの周縁と係合できるように構成されている。
【００２０】
第１カンヌキクリップ４０の係合爪４１は、図４〜図７に示すように、リヤスポイラー３０の板状突起３５の係合穴３５ｋに挿通される略長方形状の爪板部４１ｂを備えている。爪板部４１ｂは、先端（下端）に近づくにつれて肉厚寸法が徐々に小さくなるように構成されている。爪板部４１ｂの中央部は、図４に示すように、先端部を除く部分が略逆Ｕ字形に切り離されることで、バネ板部４１ｍと角形開口部４１ｈとが形成されている。即ち、バネ板部４１ｍの先端部が爪板部４１ｂの先端部と一体化された状態で、バネ板部４１ｍは爪板部４１ｂに対して鋭角に傾斜した状態に保持されている。そして、バネ板部４１ｍは、外力を受けることで、爪板部４１ｂの先端部を中心に回動する方向に弾性変形可能に構成されている。
【００２１】
このため、第１カンヌキクリップ４０の係合爪４１（爪板部４１ｂ）をリヤスポイラー３０の板状突起３５の係合穴３５ｋに押し込むことで、図６、図７に示すように、バネ板部４１ｍがバネ板部４１ｍに沿う方向に弾性変形して係合穴３５ｋを通過できるようになる。そして、バネ板部４１ｍが板状突起３５の係合穴３５ｋを通過後にバネ力で元の形状に戻ることで、バネ板部４１ｍの回動自由端側が係合穴３５ｋの周縁に掛けられる。この状態で、第１カンヌキクリップ４０の係合爪４１が板状突起３５の係合穴３５ｋと係合するようになる。
【００２２】
第１カンヌキクリップ４０の中間部４３は、図５に示すように、係合爪４１がリヤバンパカバー２０（後面カバー部２２）の裏側平坦面２０ｆに沿っている状態で、取っ手部４５が裏側平坦面２０ｆから離れる方向（前方向）に湾曲している。第１カンヌキクリップ４０の中間部４３は、湾曲部４３ｗと傾斜壁部４３ｓとから構成されている。そして、係合爪４１に対する中間部４３の傾斜壁部４３ｓの傾斜角度がリヤバンパカバー２０（後面カバー部２２）の裏側平坦面２０ｆに対する天井面２２ｓの傾斜角度にほぼ等しく設定されている。これにより、図７に示すように、第１カンヌキクリップ４０の係合爪４１がリヤバンパカバー２０の裏側平坦面２０ｆに沿っている状態で、中間部４３の傾斜壁部４３ｓは天井面２２ｓとほぼ平行に保持される。即ち、リヤバンパカバー２０（後面カバー部２２）の天井面２２ｓが本発明の第１部品の裏側傾斜面に相当する。
【００２３】
第１カンヌキクリップ４０の取っ手部４５は、図４に示すように、略長方形をした板状に形成されている。そして、取っ手部４５において長方形の一方の長辺を構成する部分の中央部に中間部４３の傾斜壁部４３ｓの端部が直角に接続されている。即ち、取っ手部４５は、図５に示すように、係合爪４１がリヤバンパカバー２０の裏側平坦面２０ｆに沿っている状態で、中間部４３の傾斜壁部４３ｓの端部から斜め前下向きに張り出すように形成されている。
【００２４】
また、第１カンヌキクリップ４０の取っ手部４５と中間部４３（傾斜壁部４３ｓ）との境界位置には、取っ手部４５が張り出す方向と反対側、即ち、傾斜壁部４３ｓ等の上側に力変換部４７が設けられている。力変換部４７は、図６、図７に示すように、第１カンヌキクリップ４０の係合爪４１をリヤスポイラー３０の板状突起３５の係合穴３５ｋに押し込む際、リヤバンパカバー２０の天井面２２ｓに沿って摺動する弾性体である。力変換部４７は、図４、図５に示すように、可撓性の帯状板により断面略円弧形に成形されている。
【００２５】
力変換部４７は、図５に示すように、後側が円弧凸面４７ｅとなるように位置決めされた状態で、帯板の幅方向における一端縁が中間部４３の傾斜壁部４３ｓの上端部に接続されている。力変換部４７は、図６に示すように、第１カンヌキクリップ４０の取っ手部４５がリヤバンパカバー２０の裏側平坦面２０ｆの方向（裏側平坦面２０ｆに接近する方向）に押圧されることで、円弧凸面４７ｅが弾性変形しつつ天井面２２ｓに沿って摺動できるように構成されている。これにより、力変換部４７は、取っ手部４５に加えられた押圧力（矢印Ｂ）を係合爪４１の押し込み方向の力（矢印Ｃ）に変換できるようになる。即ち、前記第１カンヌキクリップ４０が本発明のカンヌキクリップに相当する。
【００２６】
＜第２カンヌキクリップ５０について＞
第２カンヌキクリップ５０は、図２に示すように、ガイド距離を大きく取れるリヤバンパカバー２０の湾曲部２５と側面カバー部２４とで使用されるクリップである。第２カンヌキクリップ５０では、係合爪５１の延長線上に中間部５３が設けられており、中間部５３の上端位置に取っ手部５５が設けられている。即ち、第２カンヌキクリップ５０の中間部５３には湾曲部が設けられていない。このため、取っ手部５５に対してリヤバンパカバー２０の裏側平坦面２０ｆに沿う方向の力（下向きの力）を加えることで、係合爪５１をリヤスポイラー３０の板状突起３５の係合穴３５ｋに押し込めるようになる。なお、第２カンヌキクリップ５０の係合爪５１、取っ手部５５の構成は、第１カンヌキクリップ４０の係合爪４１、取っ手部４５の構成と同様である。
【００２７】
＜第１（第２）カンヌキクリップ４０，５０の取付け手順について＞
第１（第２）カンヌキクリップ４０，５０を取付ける際には、先ず、リヤバンパカバー２０の表面にリヤスポイラー３０をセットする。即ち、リヤバンパカバー２０に形成された複数の開口部２０ｈに対してリヤスポイラー３０の対応する板状突起３５を挿入する。これにより、図３に示すように、リヤスポイラー３０の板状突起３５がリヤバンパカバー２０の内側に突出し、板状突起３５に形成された係合穴３５ｋがリヤバンパカバー２０の内側に配置される。次に、リヤバンパカバー２０の湾曲部２５と側面カバー部２４との内側に配置されたリヤスポイラー３０の板状突起３５の係合穴３５ｋに対して第２カンヌキクリップ５０の係合爪５１が上側から押し込まれる。
【００２８】
また、リヤバンパカバー２０の後面カバー部２２の内側に配置されたリヤスポイラー３０の板状突起３５の係合穴３５ｋに対して第１カンヌキクリップ４０の係合爪４１が押し込まれる。ここで、第１カンヌキクリップ４０の中間部４３は、図６、図７に示すように、係合爪４１がリヤバンパカバー２０の裏側平坦面２０ｆに沿っている状態で、取っ手部４５が裏側平坦面２０ｆから離れる方向（前方向）に湾曲している。このため、リヤバンパカバー２０の裏側平坦面２０ｆに沿う方向における第１カンヌキクリップ４０の長さ寸法を第２カンヌキクリップ５０の長さ寸法よりも小さくできる。このため、第２カンヌキクリップ５０を使用できない狭い場所で第１カンヌキクリップ４０を使用できるようになる。
【００２９】
即ち、図６に示すように、第１カンヌキクリップ４０の係合爪４１の先端をリヤスポイラー３０の板状突起３５の係合穴３５ｋに挿入した状態で、取っ手部４５をリヤバンパカバー２０の裏側平坦面２０ｆの方向に押圧する（矢印Ｂ参照）。これにより、第１カンヌキクリップ４０の力変換部４７の円弧凸面４７ｅがリヤバンパカバー２０の天井面２２ｓに沿って弾性変形しつつ摺動する。この結果、力変換部４７は、第１カンヌキクリップ４０の取っ手部４５に加えられた押圧力（矢印Ｂ）を係合爪４１の押し込み方向の力（矢印Ｃ）に変換する。これにより、図７に示すように、第１カンヌキクリップ４０の係合爪４１がリヤスポイラー３０の板状突起３５の係合穴３５ｋと係合し、板状突起３５の抜け止めが図られる。即ち、リヤスポイラー３０がリヤバンパカバー２０に取付けられる。
【００３０】
＜本実施形態に係るカンヌキクリップ４０の長所について＞
本実施形態に係るカンヌキクリップ４０によると、取っ手部４５と係合爪４１との間に設けられた中間部４３は、係合爪４１がリヤバンパカバー２０（第１部品）の裏側平坦面２０ｆに沿っている状態で、取っ手部４５が裏側平坦面２０ｆから離れる方向に湾曲している。このため、中間部が直線状の第２カンヌキクリップ５０と比較して、裏側平坦面２０ｆに沿う方向におけるカンヌキクリップ４０の長さ寸法を小さくできる。したがって、カンヌキクリップ４０をリヤバンパカバー２０の裏側平坦面２０ｆに沿って移動させるのに必要なスペースが小さくなる。これにより、リヤバンパカバー２０の裏側のスペースが小さい場合でもカンヌキクリップ４０を使用できるようになる。
【００３１】
また、カンヌキクリップ４０に力変換部４７が設けられている。このため、取っ手部４５に対して係合爪４１の押し込み方向、即ち、リヤバンパカバー２０の裏側平坦面２０ｆに沿う方向に力を加えるのが難しい場合でも、取っ手部４５を裏側平坦面２０ｆに接近する方向に押圧することで、係合爪４１をリヤスポイラー３０の板状突起３５の係合穴３５ｋに押し込めるようになる。これにより、カンヌキクリップ４０がさらに使い易くなる。また、力変換部４７は、断面形状が略円弧形をした板状弾性体により構成されているため、力変換部４７の構成が簡単になる。
【００３２】
＜変更例＞
ここで、本発明は上記実施形態に限定されるものではなく、本発明の要旨を逸脱しない範囲における変更が可能である。例えば、本実施形態では、リヤバンパカバー２０に水平方向に延びる開口部２０ｈを形成し、リヤスポイラー３０に水平な状態で突出する板状突起３５を設け、板状突起３５の係合穴３５ｋに対してカンヌキクリップ４０の係合爪４１を上から押し込む例を示した。しかし、リヤバンパカバー２０に縦方向に延びる開口部を形成し、リヤスポイラー３０に縦状態で突出する板状突起を設け、板状突起の係合穴に対してカンヌキクリップ４０の係合爪４１を横方向から押し込む構成でも可能である。また、本実施形態では、力変換部４７を断面略円弧形の板状弾性体により構成する例を示した。しかし、力変換部４７をリヤバンパカバー２０の天井面２２ｓに沿って転動するローラ状に構成することも可能である。また、本実施形態では、第１部品としてリヤバンパカバー２０、第２部品としてリヤスポイラー３０を例示したが、第１部品と第２部品とは適宜変更可能である。
【符号の説明】
【００３３】
２０・・・・リヤバンパカバー（第１部品）
２０ｆ・・・裏側平坦面
２０ｈ・・・開口部
２２ｓ・・・天井面（裏側傾斜面）
３０・・・・リヤスポイラー（第２部品）
３５ｋ・・・係合穴
３５・・・・板状突起
４０・・・・第１カンヌキクリップ（カンヌキクリップ）
４１・・・・係合爪
４３・・・・中間部
４３ｓ・・・傾斜壁部
４３ｗ・・・湾曲部
４５・・・・取っ手部
４７・・・・力変換部
【図１】
2017089815.tif 000003
【図２】
2017089815.tif 000004
【図３】
2017089815.tif 000005
【図４】
2017089815.tif 000006
【図５】
2017089815.tif 000007
【図６】
2017089815.tif 000008
【図７】
2017089815.tif 000009
【図８】
2017089815.tif 000010